(57)【要約】【目的】ショーティング機能を持つ安価な回転コネクタを提供する。【構成】可橈性ケーブルの両端部にそれぞれ接続する複数のコネクタ端子５が立設された可動側コネクタ４０と、各コネクタ端子５に挿入され、コネクタ端子５に電気的接続される挿入孔１１と、複数のコネクタ端子５を短絡するショーティング板１０とを備え、ショーティング板１０は、複数のコネクタ端子５を電気的接触しつつ挿入可能に、かつ、複数のコネクタ端子５の立設方向にショーティング板１０を移動可能に形成した挿入孔１１を有し、複数のコネクタ端子５は、可動側コネクタ４０に外部コネクタ８０を差し込み電気的接続するときのショーティング板１０の移動先の位置で複数のコネクタ端子５間の短絡を解除する絶縁部４１を有する。【選択図】      図１
2004193070.tif 000002
【特許請求の範囲】
【請求項１】
相対的に回転自在に連結された可動側ハウジング及び固定側ハウジングと、
これら両ハウジング間に形成された環状空間と、
該環状空間に巻回される可橈性ケーブルと、
該可橈性ケーブルの両端部にそれぞれ接続する複数のコネクタ端子が立設されたコネクタ部と、
これら両コネクタ部の少なくとも一方に前記複数のコネクタ端子を短絡するショーティング板とを備え、
該ショーティング板は、前記複数のコネクタ端子を電気的接触しつつ挿入可能に、かつ、前記複数のコネクタ端子の立設方向に前記ショーティング板を移動可能に形成した挿入孔を有し、
前記複数のコネクタ端子は、前記コネクタ部に外部コネクタを差し込み電気的接続するときの前記ショーティング板の移動先の位置で前記複数のコネクタ端子間の短絡を解除する絶縁部を有することを特徴とする回転コネクタ。
【請求項２】
前記挿入孔は、前記複数のコネクタ端子のそれぞれを弾性的に挟持する接触片を有することを特徴とする請求項１に記載の回転コネクタ。
【請求項３】
前記接触片は、先端部が断面円弧形状を有することを特徴とする請求項２に記載の回転コネクタ。
【請求項４】
前記絶縁部は、前記複数のコネクタ端子の根本部分に形成され、少なくとも前記接触片と当接する面が前記コネクタ端子の先端に向かって先細になることを特徴とする請求項１乃至３のいずれか１項に記載の回転コネクタ。
【請求項５】
前記ショーティング板の前記外部コネクタに対向する面又は前記外部コネクタの前記ショーテイング板に対向する面のいずれか一方の面には、いずれか他方の面に向かって突出する突出部を有することを特徴とする請求項１乃至４のいずれか１項に記載の回転コネクタ。
【請求項６】
前記突出部は、前記複数の挿入孔に対して両側に形成されることを特徴とする請求項５に記載の回転コネクタ。
【発明の詳細な説明】
【０００１】
【発明の属する技術分野】
本発明は、回転自在に連結された一対のハウジング間の電気的接続を可撓性ケーブルを利用して行う回転コネクタに係り、特に、可撓性ケーブルの各導体間を同電位に保つショーティング機能付きの回転コネクタに関する。
【０００２】
【従来の技術】
一般に、回転コネクタは、内筒部を有する第１のハウジングと、外筒部を有する第２のハウジングと、これら両筒部の間に巻回された可撓性ケーブルとで概略構成されており、自動車のステアリング装置のように回転数が有限な装置におけるロータ側とステータ側間の電気的接続手段として用いられている。前記可撓性ケーブルは互いに平行な複数本の導体を一対の絶縁フィルムでラミネートしたフラットケーブルと呼ばれるもので、その両端部は内筒部と外筒部にそれぞれ固定された後、第１および第２のハウジングの外部に導出されている。また、これら可撓性ケーブルの両端部には本体側コネクタが設けられており、回転コネクタをステアリング装置に組み込まれている。
【０００３】
このように概略構成された回転コネクタは、ステアリング装置に組み付けられる前にいくつかの検査が行われるため、例えば検査工程時に本体側コネクタ内に露出する端子に人体等に帯電した静電気が触れることによって、可撓性ケーブルに埋設された長尺な導体に静電気が帯電することがある。その際、各導体間に電位差が生じると、特にエアバッグ回路の接続用として使用される一対の導体間に大きな電位差が生じると、回転コネクタの本体側コネクタとステアリング装置の外部コネクタとを連結した際に、エアバッグ回路の制御部に設けられたＩＣが静電破壊することが懸念される。そこで、近年、本体側コネクタにエアバッグ用導体に接続された一対の端子間を短絡するショーティング部材を設け、回転コネクタをステアリング装置に組み付けるまで、このショーティング部材によって上記端子間を同電位に維持し、回転コネクタをステアリング装置に組み付けた時点で、外部コネクタに設けた解除用突起によってショーティング部材を上記端子から離反するようにしたショーティング機能付きの回転コネクタが提案されている。
【０００４】
このような従来の回転コネクタとして、特許文献１に記載の発明がある。
【０００５】
図７は従来の回転コネクタの斜視図、図８は従来例の該回転コネクタに備えられる本体側コネクタと外部コネクタの要部断面図である。
【０００６】
図７に示すように、回転コネクタは、内筒部１ａを有する第１のハウジング１と、外筒部２ａを有する第２のハウジング２と、これら両筒部１ａ，２ａ間に巻回された可撓性ケーブル３とで概略構成されており、両ハウジング１，２は回転自在に連結されている。前記可撓性ケーブル３は互いに平行な複数本の導体を一対の絶縁フィルムでラミネートしたフラットケーブルと呼ばれるもので、これら導体の本数はステアリング装置に付設されたエアバッグ回路やクルーズコントロール回路、ホーン回路等の接続回路と同じに設定されている。前記第１のハウジング１の天板上には可動側コネクタ４が一体形成されており、該可動側コネクタ４の内部には複数本のコネクタ端子５が立設されている。前記可撓性ケーブル３の内端部側の各導体とこれらコネクタ端子５とは第１のハウジング１の内部ではんだ付けやスポット溶接等で接続されており、一方、可撓性ケーブル３の外端部は外筒部２ａに固定された後、第２のハウジング２の外部に導出されており、この可撓性ケーブル３の外端部側の各導体には固定側コネクタ６が接続されている。図８に示すように、前記可動側コネクタ４の内部にはコ字状のショーティングバー７が設けられており、該ショーティングバー７の自由端は前記各コネクタ端子５のうち、エアバッグ回路の接続用として使用される一対のコネクタ端子５に接触し、これらコネクタ端子５間はショーティングバー７によって短絡（ショーティング）されている。
【０００７】
図８に示すように、各コネクタ端子５は、可動側コネクタ４の内部に設けられた、エアバッグ回路の接続用として使用される一対のコネクタ端子５の先端部分を二股状に形成すると共に、この二股部分の一方を外部コネクタ８のクリップ端子９が接触する第１接触部５ａとし、他方をショーティングバーが接触する第２接触部５ｂとしたものである。すなわち、一対のコネクタ端子５の先端部分は、垂直方向に延びる第１接触部５ａとＬ字状に折れ曲がった第２接触部５ｂとに分岐されており、この第２接触部５ｂは隔壁４ａによって第１接触部５ａや他のコネクタ端子５から隔離されている。また、ショーティングバー７は前記隔壁４ａの内部に設けられており、該ショーティングバー７の自由端は前記両コネクタ端子５の第２接触部５ｂに接触している。
【０００８】
このように構成された回転コネクタは、第１のハウジング１をステアリングホイール側に取付けると共に、第２のハウジング２を車体側に取付けることにより、ステアリング装置に機械的に接続される。また、ステアリングホイール側に設けられた外部コネクタ８を可動側コネクタ４に連結すると共に、車体側に設けられた図示せぬ外部コネクタを固定側コネクタ６に連結することにより、ステアリング装置に電気的に接続される。ここで、前記外部コネクタ８の内部には前記コネクタ端子５に対応する複数のクリップ端子９が設けられており、また、外部コネクタ８の外側壁の一部には前記ショーティングバー７を駆動する解除用突起８ａが設けられている。したがって、外部コネクタ８を可動側コネクタ４内に嵌入すると、解除用突起８ａがコネクタ端子５とショーティングバー７との接触部の間に挿入されるため、解除用突起８ａによってショーティングバー７はコネクタ端子５から離反するように撓められ、ショーティングが解除される。そして、外部コネクタ８を可動側コネクタ４内に完全に嵌入した状態で、各クリップ端子９が対応するコネクタ端子５を挾持することにより、両端子５，９は確実に接続される。
【０００９】
図９は別の従来例の回転コネクタに備えられる本体側コネクタと外部コネクタの要部斜視図である。
【００１０】
図９に示す別の従来例は、エアバッグ回路の接続用として使用される一対のコネクタ端子５の先端部分を二股状に形成する代りに、これらコネクタ端子５を外部コネクタ８の挿入方向に対して直交する方向に幅広に形成し、この幅広部分の外方をクリップ端子９が接触する第１接触部５ａとし、内方をコ字状のショーティングバー７が接触する第２接触部５ｂとしてある。この場合も、コネクタ端子５に第１接触部５ａと第２接触部５ｂとが水平方向に互いに位置ずれして形成してあるため、解除用突起８ａのみをコネクタ端子５の第２接触部５ｂとショーティングバー７との間に挿入すれば、ショーティングバー７は第２接触部５ｂから離反するように撓められ、ショーティングが解除される。
【００１１】
【特許文献１】
特開平８−９６９１４３号公報（段落番号００１３乃至００２０、図１、図２、図３）
【００１２】
【発明が解決しようとする課題】
ところで、従来の回転コネクタにおけるショーティングバー７は、図９に示すように、コネクタ端子５の第１接触部５ａ及び第２接触部５ｂに弾性的に接触するように形成されたものなので、形状が複雑なため部品コストが高くなり、また、図８に示す可動側コネクタ４のようにコネクタ端子５は二股状の第１接触部５ａと第２接触部５ｂが形成されているので、コネクタ構造が複雑になり回転コネクタのコストが高くなるという問題があった。さらに最近では、エアバックが運転席と助手席に搭載されるようになり、そのため接触部を多数設けなければならなくなると、回転コネクタのコストがさらに高くなるという問題があった。
【００１３】
本発明は、このような事情に鑑みてなされたもので、その目的は、ショーティング機能を持つ安価な回転コネクタを提供することにある。
【００１４】
【課題を解決するための手段】
上記した本発明の目的を達成するために、本発明は、相対的に回転自在に連結された可動側ハウジング及び固定側ハウジングと、これら両ハウジング間に形成された環状空間と、該環状空間に巻回される可橈性ケーブルと、該可橈性ケーブルの両端部にそれぞれ接続する複数のコネクタ端子が立設されたコネクタ部と、これら両コネクタ部の少なくとも一方に前記複数のコネクタ端子を短絡するショーティング板とを備え、該ショーティング板は、前記複数のコネクタ端子を電気的接触しつつ挿入可能に、かつ、前記複数のコネクタ端子の立設方向に前記ショーティング板を移動可能に形成した挿入孔を有し、前記複数のコネクタ端子は、前記コネクタ部に外部コネクタを差し込み電気的接続するときの前記ショーティング板の移動先の位置で前記複数のコネクタ端子間の短絡を解除する絶縁部を有することを特徴とするものである。
【００１５】
かかる構成により、ショーティング板及び外部コネクタを簡単な形状にできコストを低減できる。
【００１６】
また、本発明は、前記挿入孔は、前記複数のコネクタ端子のそれぞれを弾性的に挟持する接触片を有することを特徴とする。
【００１７】
かかる構成により、複数のコネクタ端子との電気的接触を安定化でき、コネクタ端子間を確実に短絡できる。
【００１８】
また、本発明は、前記接触片は、先端部が断面円弧形状を有することを特徴とする。
【００１９】
かかる構成により、ショーティング板の上下移動をよりスムーズに行うことができる。
【００２０】
また、本発明は、前記絶縁部は、前記複数のコネクタ端子の根本部分に形成され、少なくとも前記接触片と当接する面が前記コネクタ端子の先端に向かって先細になることを特徴とする。
【００２１】
かかる構成により、短絡状態と短絡解除状態との間のショーティング板の移動をスムーズにかつ可逆的に行うことができる。
【００２２】
また、本発明は、前記ショーティング板の前記外部コネクタに対向する面又は前記外部コネクタの前記ショーテイング板に対向する面のいずれか一方の面には、いずれか他方の面に向かって突出する突出部を有することを特徴とする。
【００２３】
かかる構成により、短絡解除の位置までショーティング板を確実に移動させることができるので、コネクタ部に外部コネクタを電気的接続した際、短絡状態を確実に解除できる。
【００２４】
また、本発明は、前記突出部は、前記複数の挿入孔に対して両側に形成されることを特徴とする。
【００２５】
かかる構成により、ショーティング板を安定して移動でき、短絡状態を上記よりもより確実に解除できる。
【００２６】
【発明の実施の形態】
以下、本発明の一実施例を図１〜図６に基づいて詳細に説明する。ここで、図１は本発明に係る回転コネクタの本体側コネクタと外部コネクタとの接続状態を示す要部断面図、図２は図１に示す回転コネクタのショーティング状態を示す要部断面図、図３は図１に示す本体側コネクタの要部斜視図、図４は図１に示す回転コネクタに備えられるショーティング板の平面図及び要部断面図、図５は図４のショーティング板の５−５線に沿った要部断面図、図６は図４に示すショーティング板の変形例を示す図であり、図７〜図９に対応する同一の部分には同一符号を付してある。
【００２７】
本実施例が前述した従来例と相違する点は、従来のショーティングバー７に代えて、本体側コネクタとしての可動側コネクタ４０の内部に設けられた各コネクタ端子５にショーティング板１０が嵌装されていることにある。
【００２８】
このショーティング板１０は、図３乃至図５に示すように、燐青銅等のバネ性の高い金属からなる長方形状の板を打ち抜き折り曲げ成形して形成されている。ショーティング板１０には、各コネクタ端子５をそれぞれ挿通するＨ型の複数の挿通孔１１と、挿通されたコネクタ端子５の両側面に接触して挟持するよう折り曲げ形成された一対の接触片１２，１２と、複数の挿通孔１１の両側に断面ほぼ円弧状に膨出された突条状の突出部１３，１３とを備えている。突出部１３は、コネクタ端子５の根本部から先端部へ向かう方向に膨出されている。
【００２９】
また、可動側コネクタ４０のコネクタ端子５の根本部分には、図１に示すように、コネクタ端子５の下端部から上端部に向けて先細になるように傾斜面４１ａ，４１ａを形成した絶縁部４１が設けられている。したがって、コネクタ端子５の側面と傾斜面４１ａは連続して形成されていることになる。図１において各コネクタ端子５は、ショーティング板１０の一対の接触片１２，１２に挟持されてショーティング状態にある。
【００３０】
図２に示すように、コネクタ端子５に挟持しているショーティング板１０が、外部コネクタ８０を可動側コネクタ４０に差し込んで外部コネクタ８０により押し下げられたとき、絶縁部４１によりショーティング板１０の一対の接触片１２，１２が押し上げられ広げられて弾性変形し、ショーティング板１０が上方に移動する力（戻り力）が一対の接触片１２，１２に蓄勢されるとともに、コネクタ端子５と接触片１２が離れて各コネクタ端子５，５間のショーティングが解除される。
【００３１】
ショーティング板１０の各挿通孔１１に設けられた一対の接触片１２，１２は、図５に示すように、両側から中央にいくにしたがって上方に傾斜し、更に先端部１２ａは断面円弧状（半径Ｒ）に形成されている。したがって、図１において、この円弧状の先端部１２ａ，１２ａがコネクタ端子５を両側から挟み込んでコネクタ端子５に電気的に接触する。また、両先端部１２ａ，１２ａ間の距離はコネクタ端子５の厚みより狭くしてコネクタ端子５を両先端部１２ａ，１２ａ間に差し込んだとき確実に接触しその状態を維持できるようにしてある。また、先端部１２ａは断面円弧状に形成されているので、各コネクタ端子５をショーティング板１０の各挿通孔１１に差し込むとき、先端部１２ａの円周面形状によりスムーズに差し込むことができる。また、図２のようにショーティング板１０が可動側コネクタ４０の絶縁部４１の傾斜面４１ａ，４１ａに押し下げられるときも、スムーズに押し下げられる。また、可動側コネクタ４０から外部コネクタ８０を引き抜くと、一対の接触片１２，１２に蓄勢された力でショーティング板１０が上方に移動するが、一対の接触片１２，１２の先端部１２ａ，１２ａが絶縁部４１の傾斜面４１ａもしくはコネクタ端子５の側面に引っ掛かる虞れもなくスムーズに元のショーティングの状態、すなわち図１の状態に戻る。
【００３２】
次に、絶縁部４１の傾斜面４１ａがコネクタ端子５の立設方向に対してなす傾斜角（θ）と接触片１２の先端部１２ａの円弧状の半径（Ｒ）との関係を図２及び図７に基づいて説明する。
【００３３】
ショーティング板１０の先端部１２ａとコネクタ端子５との接触安定性と、コネクタ端子５のショーティング板１０の先端部１２ａ，１２ａ間への挿入安定性を考慮した場合、ショーティング板１０の先端部１２ａは円弧状とすることが望ましく、Ｒの値は、０．２ｍｍ未満では接触安定性が損われたりコネクタ端子５を先端部１２ａ，１２ａ間に挿入しにくくなるので、０．２ｍｍ以上が必要となる。
【００３４】
また、可動側コネクタ４０から外部コネクタ８０を引き抜くとき、一対の接触片１２，１２に蓄勢された力でショーティング板１０を上方に移動させる戻し動作が円滑に行われる上で、傾斜面４１ａの傾斜角（θ）は、４５°以上の角度を持たせることが望ましい。θが４５°未満では、ショーテイング板１０が円滑に戻し動作を発現しにくい。この場合、戻り力により確実にショーティング板１０を上方に移動させるために、ショーティング板１０の先端部１２ａは、上述したように、Ｒ形状とし、Ｒの値は、０．３ｍｍ以上が必要となる。最大Ｒ形状は、コネクタ端子５の厚みにより変化するため、一概に設定することはできないが、最大Ｒは０．８ｍｍ程度が限界と考える。この最大Ｒより大きくなると、図２のごとくショーティング板１０が押し下げられても先端部１２ａの円弧状端部がコネクタ端子５の根本部に当たったままとなり、ショーティングしたままの状態となる虞がある。
【００３５】
これらより、絶縁部４１の傾斜面４１ａの傾斜角θ＞４５°を基本とし、Ｒは０．２ｍｍ≦Ｒ、好ましくは、０．３ｍｍ≦Ｒ≦０．８ｍｍが望ましい。
【００３６】
次に、実施例の動作について説明する。
【００３７】
図１のショーティング状態では、ショーティング板１０には、各挿通孔１１の先端部１２ａ，１２ａを押し広げるようにして各コネクタ端子５がそれぞれ差し込まれ、各コネクタ端子５はその両側面を各挿通孔１１の一対の接触片１２，１２の先端部１２ａ，１２ａにより挟持されて接触されている。これにより、従来例と同様に各コネクタ端子５はショーティングされている。また、ショーティング板１０は、各コネクタ端子５を先端部１２ａ，１２ａにより挟持することによって各コネクタ端子５から滑り落ちないように保持されている。
【００３８】
図１の状態から、外部コネクタ８０を可動側コネクタ４０に接続するために、外部コネクタ８０を可動側コネクタ４０に差し込んで押し下げると、外部コネクタ８０の下面がショーティング板１０の突出部１３，１３に突き当たって外部コネクタ８０が下方へ移動するとともにショーティング板１０もコネクタ端子５の両側面に先端部１２ａ，１２ａが摺動しながら下方へ移動する。
【００３９】
すると、図２に示すようにショーティング板１０の先端部１２ａ，１２ａが絶縁部４１の傾斜面４１ａの頂部（コネクタ端子５の根本部分）に突き当たる。なお、ショーティング状態で既にこの状態にあっても構わない。さらに、外部コネクタ８０を下方へ移動させると、外部コネクタ８０の下面によって突出部１３，１３を押してショーティング板１０が押し下げられ、先端部１２ａ，１２ａが絶縁部４１の両傾斜面４１ａ，４１ａによって押し上げられながら広げられて弾性変形し（戻り力が蓄勢され）、図２のように各コネクタ端子５間が非ショーティング状態となる。
【００４０】
この図２の状態では、可動側コネクタ４０のコネクタ端子５は外部コネクタ８０内の接続端子（図２では図示を省略している）に接続されている。一方、ショーティング板１０の接触片１２の先端部１２ａは、絶縁部４１の両傾斜面４１ａ，４１ａ上を摺動しながら押し広げられてコネクタ端子５の側面から離されて、ショーティングの解除が確実に行われる。
【００４１】
この図２の状態から、外部コネクタ８０を引き抜くと、図１においてショーティング板１０の接触片１２，１２に蓄勢された戻り力、すなわち、接触片１２が図１の状態に戻ろうとする力により、先端部１２ａ，１２ａは傾斜面４１ａ，４１ａ上を上方に滑り上がり、そして、先端部１２ａ，１２ａがコネクタ端子５の両側面にそれぞれ接触して図１の状態へと戻り、各コネクタ端子５はショーティング板１０によりショーティング状態となる。
【００４２】
なお、それ以外の構成や動作は、前述した従来例と基本的に同じであるため、ここでは重複する説明は省略する。
【００４３】
このように構成された回転コネクタは、相対的に回転自在に連結された可動側ハウジング及び固定側ハウジングと、これら両ハウジング間に形成された環状空間と、該環状空間に巻回される可橈性ケーブル３と、該可橈性ケーブル３の両端部にそれぞれ接続する複数のコネクタ端子５が立設されたコネクタ４０と、これら両コネクタ４０の少なくとも一方に複数のコネクタ端子５を短絡するショーティング板１０とを備え、該ショーティング板１０は、複数のコネクタ端子５を電気的接触しつつ挿入可能に、かつ、複数のコネクタ端子５の立設方向にショーティング板１０を移動可能に形成した挿入孔１１を有し、複数のコネクタ端子５は、コネクタ４０に外部コネクタ８０を差し込み電気的接続するときのショーティング板１０の移動先の位置で複数のコネクタ端子５間の短絡を解除する絶縁部４１を有するため、従来のごとくコネクタ端子が複雑な形状とならず、また、ショーティング板及び外部コネクタを簡単な形状にできて、ショーティング部材を固定させる必要もなく、したがって、ショーティング機能を簡易な構成で実現でき、コストを低減できる。
【００４４】
また、各挿入孔１１は、複数のコネクタ端子５のそれぞれを弾性的に挟持する接触片１２を有するので、複数のコネクタ端子５との電気的接触を安定化でき、コネクタ端子５間を確実に短絡できる。
【００４５】
また、接触片１２は、先端部が断面円弧形状を有するので、ショーティング板１０の上下移動をよりスムーズに行うことができる。
【００４６】
また、絶縁部４１は、複数のコネクタ端子５の根本部分に形成され、少なくとも接触片１２と当接する面がコネクタ端子５の先端に向かって先細になるため、短絡状態と短絡解除状態との間のショーティング板１０の移動をスムーズにかつ可逆的に行うことができる。
【００４７】
また、ショーティング板１０は、外部コネクタ８０に対向する面には、外部コネクタ８０の面に向かって突出する突出部１３を有するため、短絡解除の位置までショーティング板１０を確実に移動させることができるので、短絡解除の位置までショーティング板１０を確実に移動させることができるので、可動側コネクタ４０に外部コネクタ８０を電気的接続した際、短絡状態を確実に解除できる。
【００４８】
また、突出部１３，１３は、ショーティング板１０の挿入孔１１に対して両側に形成されるため、ショーティング板１０を安定して移動でき、短絡状態を上記よりもより確実に解除できる。
【００４９】
次に、ショーティング板の変形例を図５を参照して説明する。
【００５０】
この変形例が上記実施例と相違する点は、挿入孔１１１がＨ形状の切欠きでなく、両側部が丸孔形状となっているところである。その他は上記実施例と同様であり、コネクタ端子５をショーティング板１０の接触片１２，１２間に挿入すれば良く、上記実施例と同様の効果を奏することができる。
【００５１】
なお、上記実施例では、突出部１３をショーティング板１０に設けた場合について説明したが、このショーティング板１０に設けずに外部コネクタ８０の下面に突出部を設けても良い。
【００５２】
【発明の効果】
本発明による回転コネクタは、相対的に回転自在に連結された可動側ハウジング及び固定側ハウジングと、これら両ハウジング間に形成された環状空間と、該環状空間に巻回される可橈性ケーブルと、該可橈性ケーブルの両端部にそれぞれ接続する複数のコネクタ端子が立設されたコネクタ部と、これら両コネクタ部の少なくとも一方に前記複数のコネクタ端子を短絡するショーティング板とを備え、該ショーティング板は、前記複数のコネクタ端子を電気的接触しつつ挿入可能に、かつ、前記複数のコネクタ端子の立設方向に前記ショーティング板を移動可能に形成した挿入孔を有し、前記複数のコネクタ端子は、前記コネクタ部に外部コネクタを差し込み電気的接続するときの前記ショーティング板の移動先の位置で前記複数のコネクタ端子間の短絡を解除する絶縁部を有するので、ショーティング板及び外部コネクタを簡単な形状にできコストを低減できる。
【図面の簡単な説明】
【図１】本発明に係る回転コネクタの本体側コネクタと外部コネクタとの接続状態を示す要部断面図である。
【図２】図１に示す回転コネクタのショーティング状態を示す要部断面図である。
【図３】図１に示す本体側コネクタの要部斜視図である。
【図４】図１に示す回転コネクタに備えられるショーティング板の平面図及び要部断面図である。
【図５】図４のショーティング板の５−５線に沿った要部断面図である。
【図６】図４に示すショーティング板の変形例を示す図である。
【図７】従来の回転コネクタの斜視図である。
【図８】従来例の該回転コネクタに備えられる本体側コネクタと外部コネクタの要部断面図である。
【図９】別の従来例の回転コネクタに備えられる本体側コネクタと外部コネクタの要部斜視図である。
【符号の説明】
５  コネクタ端子
１０  ショーティング板
１１、１１１  挿入孔
１２  接触片
１２ａ  先端部
４０  可動側コネクタ
４１  絶縁部
４１ａ  傾斜面
８０  外部コネクタ
【図１】
2004193070.tif 000003
【図２】
2004193070.tif 000004
【図３】
2004193070.tif 000005
【図４】
2004193070.tif 000006
【図５】
2004193070.tif 000007
【図６】
2004193070.tif 000008
【図７】
2004193070.tif 000009
【図８】
2004193070.tif 000010
【図９】
2004193070.tif 000011